(57)【要約】  本発明はリマインド方法、装置、プログラム及び記録媒体に関し、スマートホーム分野に属す。前記方法は、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信し、前記リマインドデバイスが前記リマインド操作に対応するリマインダーを送信するように前記リマインドデバイスを指示する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。【選択図】図２
2017539186.tif 000002
【特許請求の範囲】
【請求項１】
移動端末の位置するエリアをモニタリングするステップと、
前記移動端末がリマインド操作を実行するようにトリガーされたとき、目標エリアを確認するステップと、
前記目標エリアが前記移動端末の位置するエリアを含まない場合、前記目標エリアにおけるリマインドデバイスにリマインド通知を送信するステップとを含み、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであることを特徴とするリマインド方法。
【請求項２】
前記移動端末がリマインド操作を実行するようにトリガーされたとき、目標エリアを確認するステップは、
前記移動端末の状態が第１所定の条件を満たすか否かを検出するステップと、
検出した結果、前記移動端末の状態が前記第１所定の条件を満たす場合、前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含み、
前記移動端末の状態は運動状態及び操作状態を含み、前記第１所定の条件は、前記移動端末の運動状態が静止状態であること、且つ前記移動端末の操作状態がユーザー操作を受信していない状態であることを含むことを特徴とする請求項１に記載のリマインド方法。
【請求項３】
前記移動端末がリマインド操作を実行するようにトリガーされたとき、目標エリアを確認するステップは、
前記移動端末の状態が第２所定の条件を満たすか否かを検出するステップと、
検出した結果、前記移動端末の状態が第２所定の条件を満たす場合、前記移動端末の位置するエリアを前記目標エリアであると確認するステップと、を含み、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含むことを特徴とする請求項１に記載のリマインド方法。
【請求項４】
前記移動端末がリマインド操作を実行するようにトリガーされたとき、目標エリアを確認するステップは、
前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含むことを特徴とする請求項１に記載のリマインド方法。
【請求項５】
前記移動端末の位置するエリアをモニタリングするステップは、
前記移動端末の位置が移動したと検出した場合、所定の時間帯での前記移動端末の運動軌跡を取得するステップと、
前記少なくとも２つのエリア内に設定された人感センサによって前記所定の時間帯で収集されたセンサパラメータにより、前記少なくとも２つのエリア内の少なくとも１つの人体の運動軌跡を取得するステップと、
前記少なくとも１つの人体の中の、運動軌跡が前記移動端末の運動軌跡にマッチングする人体の位置するエリアを前記移動端末の位置するエリアであると確認するステップと、を含み、
前記所定の時間帯は、前記移動端末が移動を始める時刻から前記移動端末が移動を停止する時刻までの時間帯であることを特徴とする請求項１に記載のリマインド方法。
【請求項６】
前記移動端末の位置するエリアをモニタリングするステップは、
室内無線位置決め方式により前記移動端末の位置するエリアをモニタリングするステップを含むことを特徴とする請求項１に記載のリマインド方法。
【請求項７】
前記方法は、さらに、
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御するステップを含むことを特徴とする請求項１に記載のリマインド方法。
【請求項８】
移動端末の位置するエリアをモニタリングするように配置されるモニタリングモジュールと、
前記移動端末がリマインド操作を実行するようにトリガーされたとき、目標エリアを確認するように配置されるエリア確認モジュールと、
前記エリア確認モジュールによって確認された目標エリアが前記移動端末の位置するエリアを含まない場合、前記目標エリアにおけるリマインドデバイスにリマインド通知を送信するように配置される通知モジュールとを備え、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであることを特徴とするリマインド装置。
【請求項９】
エリア確認モジュールは、
前記移動端末の状態が第１所定の条件を満たすか否かを検出するように配置される第１検出サブモジュールと、
前記第１検出サブモジュールによって検出した結果、前記移動端末の状態が前記第１所定の条件を満たす場合、前記少なくとも２つの所定のエリアの中の各エリアについて、前記エリア内に設定された人感センサによって収集されたセンサパラメータを取得するように配置される第１パラメータ取得サブモジュールと、
前記第１パラメータ取得サブモジュールによって取得されたセンサパラメータにより前記エリア内に人体が存在するか否かを検出するように配置される第１人体検出サブモジュールと、
前記第１人体検出サブモジュールによって検出した結果、前記エリア内に人体が存在する場合、前記エリアを前記目標エリアであると確認するように配置される第１確認サブモジュールとを備え、
前記移動端末の状態は運動状態及び操作状態を含み、前記第１所定の条件は、前記移動端末の運動状態が静止状態であること、且つ前記移動端末の操作状態がユーザー操作を受信していない状態であることを含むことを特徴とする請求項８に記載のリマインド装置。
【請求項１０】
前記エリア確認モジュールは、
前記移動端末の状態が第２所定の条件を満たすか否かを検出するように配置される第２検出サブモジュールと、
前記第２検出サブモジュールによって検出した結果、前記移動端末の状態が第２所定の条件を満たす場合、前記移動端末の位置するエリアを前記目標エリアであると確認するように配置される第２確認サブモジュールとを備え、
前記移動端末の状態は運動状態及び操作状態を含み、前記第２所定の条件は、前記移動端末の運動状態が静止状態であること、及び前記移動端末の操作状態はユーザー操作を受信していない状態の少なくとも１つを含むことを特徴とする請求項８に記載のリマインド装置。
【請求項１１】
前記エリア確認モジュールは、
前記少なくとも２つの所定のエリアの中の各エリアについて、前記エリア内に設定された人感センサによって収集されたセンサパラメータを取得するように配置される第２パラメータ取得サブモジュールと、
前記第２パラメータ取得サブモジュールによって取得されたセンサパラメータにより前記エリア内に人体が存在するか否かを検出するように配置される第２人体検出サブモジュールと、
前記第２人体検出サブモジュールによって検出した結果、前記エリア内に人体が存在する場合、前記エリアを前記目標エリアであると確認するように配置される第３確認サブモジュールとを備えることを特徴とする請求項８に記載のリマインド装置。
【請求項１２】
前記モニタリングモジュールは、
前記移動端末の位置が移動したと検出した場合、所定の時間帯での前記移動端末の運動軌跡を取得するように配置される第１軌跡取得サブモジュールと、
前記少なくとも２つのエリア内に設定された人感センサによって前記所定の時間帯で収集されたセンサパラメータにより、前記少なくとも２つのエリア内の少なくとも１つの人体の運動軌跡を取得するように配置される第２軌跡取得サブモジュールと、
前記少なくとも１つの人体の中の、運動軌跡が前記移動端末の運動軌跡にマッチングする人体の位置するエリアを前記移動端末の位置するエリアであると確認するように配置される第４確認サブモジュールとを備え、
前記所定の時間帯は、前記移動端末が移動を始める時刻から前記移動端末が移動を停止する時刻までの時間帯であることを特徴とする請求項８に記載のリマインド装置。
【請求項１３】
前記モニタリングモジュールは、室内無線位置決め方式により前記移動端末の位置するエリアをモニタリングするように配置されることを特徴とする請求項８に記載のリマインド装置。
【請求項１４】
前記装置は、さらに
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御する制御モジュールを備えることを特徴とする請求項８に記載のリマインド装置。
【請求項１５】
プロセッサと、
プロセッサにより実行可能なインストラクションを記憶するためのメモリとを備え、
前記プロセッサは、
移動端末の位置するエリアをモニタリングし、
前記移動端末がリマインド操作を実行するようにトリガーされたとき、目標エリアを確認し、
前記目標エリアが前記移動端末の位置するエリアを含まない場合、前記目標エリアにおけるリマインドデバイスにリマインド通知を送信するように配置され、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスに前記リマインド操作に対応するリマインダーを送信するように指示するものであることを特徴とするリマインド装置。
【発明の詳細な説明】
【技術分野】
【０００１】
本発明はスマートホーム（Ｓｍａｒｔ  Ｈｏｍｅ）分野に関し、特にリマインド方法及び装置に関する。
【背景技術】
【０００２】
コンピュータ及び通信技術の発展に伴い、スマートフォンを代表とする移動端末はますますポピュラーになっており、人々の日常生活に大きな利便性をもたらす。
【０００３】
移動端末は、ユーザーが適時にチェックする必要のあるメッセージを受信又は生じたとき、通常所定のリマインド操作を実行する。関連技術においては、移動端末は、内蔵されたスピーカによってリンギングリマインダーを発して、又は内蔵されたモーターによって振動リマインダーを発する。
【発明の概要】
【発明が解決しようとする課題】
【０００４】
ところが、ユーザーが移動端末から遠く離れているとき、リンギング又は振動はユーザーに適時にリマインドできない可能性があり、リマインド効果はよくない。
【課題を解決するための手段】
【０００５】
本発明は、従来技術に存在する上記のような問題を解決するためになされたものであり、リマインド方法及び装置を提供する。前記の解決策は下記の通りであり、即ち、
本発明の実施例に係る第１様態によれば、
移動端末の位置するエリアをモニタリングするステップと、
前記移動端末がリマインド操作を実行するようにトリガーされたとき、目標エリアを確認するステップと、
前記目標エリアが前記移動端末の位置するエリアを含まない場合、前記目標エリアにおけるリマインドデバイスにリマインド通知を送信するステップとを含み、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであるリマインド方法を提供する。
【０００６】
前記移動端末がリマインド操作を実行するようにトリガーされたとき、目標エリアを確認するステップは、
前記移動端末の状態が第１所定の条件を満たすか否かを検出するステップと、
検出した結果、前記移動端末の状態が前記第１所定の条件を満たす場合、前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含み、
前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【０００７】
前記移動端末がリマインド操作を実行するようにトリガーされたとき、目標エリアを確認するステップは、
前記移動端末の状態が第２所定の条件を満たすか否かを検出するステップと、
検出した結果、前記移動端末の状態が第２所定の条件を満たす場合、前記移動端末の位置するエリアを前記目標エリアであると確認するステップと、を含み、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含む。
【０００８】
前記移動端末がリマインド操作を実行するようにトリガーされたとき、目標エリアを確認するステップは、
前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含んでもよい。
【０００９】
前記移動端末の位置するエリアをモニタリングするステップは、
前記移動端末の位置が移動したと検出した場合、所定の時間帯での前記移動端末の運動軌跡を取得するステップと、
前記少なくとも２つのエリア内に設定された人感センサによって前記所定の時間帯で収集されたセンサパラメータにより、前記少なくとも２つのエリア内の少なくとも１つの人体の運動軌跡を取得するステップと、
前記少なくとも１つの人体の中の、運動軌跡が前記移動端末の運動軌跡にマッチングする人体の位置するエリアを前記移動端末の位置するエリアであると確認するステップと、を含み、
前記所定の時間帯は、前記移動端末が移動を始める時刻から前記移動端末が移動を停止する時刻までの時間帯である。
【００１０】
前記移動端末の位置するエリアをモニタリングするステップは、
室内無線位置決め方式により前記移動端末の位置するエリアをモニタリングするステップを含む。
【００１１】
前記方法は、さらに、
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御するステップを含んでもよい。
【００１２】
本発明の実施例に係る第２様態によれば、
移動端末の位置するエリアをモニタリングするように配置されるモニタリングモジュールと、
前記移動端末がリマインド操作を実行するようにトリガーされたとき、目標エリアを確認するように配置されるエリア確認モジュールと、
前記エリア確認モジュールによって確認された目標エリアが前記移動端末の位置するエリアを含まない場合、前記目標エリアにおけるリマインドデバイスにリマインド通知を送信するように配置される通知モジュールとを備え、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであるリマインド装置を提供する。
【００１３】
エリア確認モジュールは、
前記移動端末の状態が第１所定の条件を満たすか否かを検出するように配置される第１検出サブモジュールと、
前記第１検出サブモジュールによって検出した結果、前記移動端末の状態が前記第１所定の条件を満たす場合、前記少なくとも２つの所定のエリアの中の各エリアについて、前記エリア内に設定された人感センサによって収集されたセンサパラメータを取得するように配置される第１パラメータ取得サブモジュールと、
前記第１パラメータ取得サブモジュールによって取得されたセンサパラメータにより前記エリア内に人体が存在するか否かを検出するように配置される第１人体検出サブモジュールと、
前記第１人体検出サブモジュールによって検出した結果、前記エリア内に人体が存在する場合、前記エリアを前記目標エリアであると確認するように配置される第１確認サブモジュールとを備え、
前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【００１４】
前記エリア確認モジュールは、
前記移動端末の状態が第２所定の条件を満たすか否かを検出するように配置される第２検出サブモジュールと、
前記第２検出サブモジュールによって検出した結果、前記移動端末の状態が第２所定の条件を満たす場合、前記移動端末の位置するエリアを前記目標エリアであると確認するように配置される第２確認サブモジュールとを備え、
前記移動端末の状態は運動状態及び操作状態を含み、前記第２所定の条件は、前記移動端末の運動状態が静止状態であること、及び前記移動端末の操作状態はユーザー操作を受信していない状態の少なくとも１つを含む。
【００１５】
前記エリア確認モジュールは、
前記少なくとも２つの所定のエリアの中の各エリアについて、前記エリア内に設定された人感センサによって収集されたセンサパラメータを取得するように配置される第２パラメータ取得サブモジュールと、
前記第２パラメータ取得サブモジュールによって取得されたセンサパラメータにより前記エリア内に人体が存在するか否かを検出するように配置される第２人体検出サブモジュールと、
前記第２人体モニタリングサブモジュールによって検出した結果、前記エリア内に人体が存在する場合、前記エリアを前記目標エリアであると確認するように配置される第３確認サブモジュールとを備えてもよい。
【００１６】
前記モニタリングモジュールは、
前記移動端末の位置が移動したと検出した場合、所定の時間帯での前記移動端末の運動軌跡を取得するように配置される第１軌跡取得サブモジュールと、
前記少なくとも２つのエリア内に設定された人感センサによって前記所定の時間帯で収集されたセンサパラメータにより、前記少なくとも２つのエリア内の少なくとも１つの人体の運動軌跡を取得するように配置される第２軌跡取得サブモジュールと、
前記少なくとも１つの人体の中の、運動軌跡が前記移動端末の運動軌跡にマッチングする人体の位置するエリアを前記移動端末の位置するエリアであると確認するように配置される第４確認サブモジュールとを備え、
前記所定の時間帯は、前記移動端末が移動を始める時刻から前記移動端末が移動を停止する時刻までの時間帯である。
【００１７】
前記モニタリングモジュールは、室内無線位置決め方式により前記移動端末の位置するエリアをモニタリングするように配置されてもよい。
【００１８】
前記装置は、さらに、前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御する制御モジュールを備えてもよい。
【００１９】
本発明の実施例に係る第３様態によれば、
プロセッサと、
プロセッサにより実行可能なインストラクションを記憶するためのメモリとを備え、
前記プロセッサは、
移動端末の位置するエリアをモニタリングし、
前記移動端末がリマインド操作を実行するようにトリガーされたとき、目標エリアを確認し、
前記目標エリアが前記移動端末の位置するエリアを含まない場合、前記目標エリアにおけるリマインドデバイスにリマインド通知を送信するように配置され、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスに前記リマインド操作に対応するリマインダーを送信するように指示するものであるリマインド装置を提供する。
【発明の効果】
【００２０】
本発明の実施例により提供された解決策によれば、以下のような有益な効果が得られる。即ち、
移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００２１】
なお、上述の一般的な記載及び後述の詳細な記載は、単なる例示的で解釈であり、本発明に対する限定として見なしてはいけない。
【図面の簡単な説明】
【００２２】
以下の図面は、明細書に組み込まれて本願明細書の一部分となり、本願発明に係る実施例を示し、且つ明細書とともに、本発明の原理の説明に用いられる。
【図１】図１は、本発明に係る実施環境を示す模式図である。
【図２】図２は、一つの例示的な実施例に係るリマインド方法のフローチャートである。
【図３Ａ】図３Ａは、もう一つの例示的な実施例に係るリマインド方法のフローチャートである。
【図３Ｂ】図３Ｂは、図３Ａに対応する実施例に提供されたエリアの確認方法のフローチャートである。
【図３Ｃ】図３Ｃは、図３Ａに対応する実施例に提供された移動端末の位置するエリアの確認の模式図である。
【図３Ｄ】図３Ｄは、図３Ａに対応する実施例に提供されたリマインド場面の模式図である。
【図４Ａ】図４Ａは、もう一つの例示的な実施例に係るリマインド方法のフローチャートである。
【図４Ｂ】図４Ｂは、図４Ａに対応する実施例に提供された移動端末の位置するエリアの確認の模式図である。
【図５】図５は、一つの例示的な実施例に係るリマインド装置を示すブロック図である。
【図６】図６は、もう一つの例示的な実施例に係るリマインド装置を示すブロック図である。
【図７】図７は、一つの例示的な実施例に係る装置を示すブロック図である。
【発明を実施するための形態】
【００２３】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００２４】
図１は、本発明に係る実施環境を示す模式図である。当該実施環境は、移動端末１１０及び少なくとも１つのスマートデバイス１２０を含む。
【００２５】
ここで、移動端末１１０は、スマートフォン、タブレットＰＣ又は電子書籍リーダー等のスマート端末であってもよい。
【００２６】
少なくとも１つのスマートデバイス１２０は、各種のスマートホームデバイス、例えば、スマートテレビ（Ｓｍａｒｔ  ＴＶ）、スマートテレビ・セットトップボックス（ｓｅｔ−ｔｏｐ  ｂｏｘ）、スマートエアコン及びスマートカメラ等であってもよい。
【００２７】
移動端末１１０は有線または無線ネットワークを介してスマートデバイス１２０に接続される。
【００２８】
好ましくは、当該少なくとも１つのスマートデバイス１２０は少なくとも２つの所定のエリアに配布されてもよい。それぞれの所定のエリアにはいくつかのセンサ１３０が設定され、これらのセンサ１３０は、人感センサ（Ｈｕｍａｎ  ｂｏｄｙ  ｓｅｎｓｏｒ）及びドア・窓センサ（Ｄｏｏｒｓ  ａｎｄ  ｗｉｎｄｏｗｓ  ｓｅｎｓｏｒ）等を含んでもよい。当該いくつかのセンサ１３０も有線または無線ネットワークを介して移動端末１１０に接続される。例えば、１つの実現形態において、移動端末１１０は無線ネットワークを介してスマートルーターに接続され、当該いくつかのセンサ１３０とスマートルーターとはＺｉｇＢｅｅによってネットワークをなす。センサ１３０によって収集されたセンサパラメータはスマートルーターを介して移動端末１１０に送信される。
【００２９】
図２は、一つの例示的な実施例に係るリマインド方法のフローチャートである。当該リマインド方法は図１に示された実施環境における移動端末１１０に用いられる。図２に示すように、当該リマインド方法は下記のステップを含んでもよく、即ち、
ステップ２０１において、移動端末の位置するエリアをモニタリングする。当該移動端末の位置するエリアは、少なくとも２つの所定のエリアの中の１つである。
【００３０】
ステップ２０２において、当該移動端末がリマインド操作を実行するようにトリガーされた時、目標エリアを確認する。当該目標エリアは、当該少なくとも２つの所定のエリアの中の人体の存在するエリアである。
【００３１】
ステップ２０３において、当該目標エリアが当該移動端末の位置するエリアを含まない場合、当該目標エリアにおけるリマインドデバイスにリマインド通知を送信する。
【００３２】
ここで、当該リマインド通知は、当該リマインドデバイスが当該リマインド操作に対応するリマインダーを送信するように当該リマインドデバイスを指示するためのものである。
【００３３】
上記のように、本発明の実施例に示されるリマインド方法によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００３４】
図３Ａは、もう一つの例示的な実施例に係るリマインド方法のフローチャートである。当該リマインド方法は図１に示された実施環境における移動端末１１０に用いられる。図３Ａに示すように、当該リマインド方法は下記のステップを含んでもよく、即ち、
ステップ３０１において、移動端末及び人体それぞれの移動軌跡によって移動端末の位置するエリアをモニタリングする。
【００３５】
ここで、当該移動端末の位置するエリアは、少なくとも２つの所定のエリアの中の１つである。
【００３６】
本発明の実施例に示される方案において、同じ時間帯で移動端末及び人体それぞれの運動軌跡によって、移動端末の位置するエリアをモニタリングする。図３Ｂに示されたエリアの確認方法のフローチャートを参照する。当該方法は、下記のステップを含んでもよく、即ち、
ステップ３０１ａにおいて、移動端末の位置が移動されたと検出された時、所定の時間帯での当該移動端末の運動軌跡を取得する。
【００３７】
ここで、当該所定の時間帯は、当該移動端末が移動を始める時刻から当該移動端末が移動を停止する時刻までの時間帯である。
【００３８】
移動端末には加速度センサが設定されてもよい。加速度センサによって収集されたパラメータにより移動端末の、移動開始、移動方向、移動スピード及び移動加速度等のような移動状態を検出する。移動端末の移動開始を検出した後の所定の時間帯で、加速度センサによって収集されたパラメータにより移動端末の当該所定の時間帯における運動軌跡を算出する。
【００３９】
ステップ３０１ｂにおいて、当該少なくとも２つのエリアに設置された人感センサによって当該所定の時間帯内で収集されたセンサパラメータにより、当該少なくとも２つのエリアにおける少なくとも１つの人体の運動軌跡を取得する。
【００４０】
人体の運動軌跡は人感センサによって収集されたセンサ-パラメータにより確認されることができる。例えば、図３Ｃを参照すると、移動端末の位置するエリアの確認の模式図が提供された。ここで、所定のスペース３１はリビングルームであり、所定のスペース３２はベッドルームである。所定のスペース３１には少なくとも１つの人感センサ３１ａが設定され、所定のスペース３２には少なくとも１つの人感センサ３２ａが設定されている。所定のスペース３１には人体３１ｂ、所定のスペース３２には人体３２ｂが存在する。少なくとも１つの人感センサ３１ａ及び少なくとも１つの人感センサ３２ａは、収集されたセンサパラメータを有線又は無線ネットワークを介して移動端末に送信する。移動端末は、自身の所定の時間帯における運動軌跡を算出するときも少なくとも１つの人感センサ３１ａ、及び少なくとも１つの人感センサ３２ａによって収集されたセンサ-パラメータにより、人体３１ｂ及び人体３２ｂそれぞれの運動軌跡を算出する。
【００４１】
ステップ３０１ｃにおいて、少なくとも１つの人体のなかの、運動軌跡が当該移動端末の運動軌跡にマッチングングする人体の位置するエリアを当該移動端末の位置するエリアであると確認する。
【００４２】
図３Ｃに示された場面を例として、算出された移動端末の軌跡は運動軌跡３３であり、人体３１ｂの運動軌跡は運動軌跡３４、人体３２ｂの運動軌跡は運動軌跡３５であり、移動端末は、運動軌跡３３と、運動軌跡３４及び運動軌跡３５のそれぞれとのマッチング度を算出する。算出した結果、運動軌跡３３は運動軌跡３４とのマッチング度がより高いので、人体３１ｂが移動端末を持ちながら移動していると判断することができる。そのとき、人体３１ｂの位置するエリアが移動端末の位置するエリアである。
【００４３】
移動端末が移動を停止した時、移動端末の位置するエリアは、当該移動端末の運動軌跡にマッチングする人体の位置するエリアである。移動端末が静止状態にあるとき、その位置するエリアは変わらない。移動端末が再び移動を開始するとき、改めてステップ３０１ａ−ステップ３０１ｃを実行する。
【００４４】
実際の適用で、ユーザーが途中で移動端末を放して移動し続け、マッチングする人体運動軌跡を検出できないことを防止するために、原則として上記所定の時間帯の終わり時刻は移動端末の移動停止時刻より遅くてはならない。
【００４５】
本発明の実施例では、上記のように、移動端末及び人体それぞれの移動軌跡によって移動端末の位置するエリアをモニタリングする方法だけを例としたが、実際の適用で、その他の方式により動端末の位置するエリアをモニタリングしてもよく、例えば、室内無線位置決め方式である。本発明では、移動端末の位置するエリアをモニタリングする方式について限定しない。
【００４６】
ステップ３０２において、当該移動端末がリマインド操作を実行するようにトリガーされた時、目標エリアを確認する。当該目標エリアは、当該少なくとも２つの所定のエリアの中の人体の存在するエリアである。
【００４７】
移動端末は、所定のイベントを検出した場合、通常リマインド操作を実行するようにトリガーされる。例えば、移動端末に電話が入ったとき、着信通知を行うようにトリガーされ、メッセージを受信したとき、メッセージ通知を行うようにトリガーされ、又は、アラームクロックが定刻になったとき、アラームリマインド操作を実行するようにトリガーされる等である。
【００４８】
第１種の実現方式では、移動端末は、リマインド操作を実行するようにトリガーされた時、当該少なくとも２つの所定のエリアの中の各エリアについて、当該エリアに設定された人感センサによって収集されたセンサパラメータを取得する。当該センサパラメータにより当該エリア内に人体が存在するか否かを検出する。検出した結果、当該エリア内に人体が存在する場合、当該エリアを当該目標エリアであると確認する。つまり、移動端末は、各エリアに配布された人感センサによって人体の存在する目標エリアを確認することが可能である。人感センサの配布場面については、図３Ｃを参照して、ここで詳しく説明しない。
【００４９】
第２の実現方式においては、移動端末は、リマインド操作を実行するようにトリガーされた時、先ず前記移動端末の状態が、第１所定の条件を満たすか否かを検出する。検出した結果、当該移動端末の状態が当該第１所定の条件を満たす場合、当該少なくとも２つの所定のエリアの中の各エリアについて、当該エリアに設定された人感センサによって収集されたセンサパラメータを取得する。当該センサパラメータにより当該エリア内に人体が存在するか否かを検出する。検出した結果、当該エリア内に人体が存在する場合、当該エリアを当該目標エリアであると確認する。ここで、当該移動端末の状態は、運動状態及び操作状態を含み、当該第１所定の条件は、当該移動端末の運動状態が静止状態であること、且つ当該移動端末の操作状態がユーザー操作を受信していない状態であることを含む。
【００５０】
つまり、移動端末が静止状態であり、且つユーザー操作を受信していない場合、各エリアに配布された人感センサによって人体の存在する目標エリアを確認することが可能である。人感センサの配布場面については、図３Ｃを参照する。
【００５１】
第３の実現方式においては、移動端末は、リマインド操作を実行するようにトリガーされた時、先ず当該移動端末の状態が第２所定の条件を満たすか否かを検出する。検出した結果、当該移動端末の状態が当該第２所定の条件を満たす場合、当該移動端末の位置するエリアを当該目標エリアと確認する。ここで、当該移動端末の状態は、運動状態及び操作状態を含み、当該第２所定の条件は、当該移動端末の運動状態が移動中であること、及び当該移動端末の操作状態がユーザー操作を受信している状態の中の少なくとも１つを含む。
【００５２】
上記第２及び第３の実現方式において、移動端末の状態が第１所定の条件を満たす場合、つまり、移動端末が静止状態であり、且つユーザー操作を受信していない場合、移動端末がユーザーに携帯されるか否かを判断できず、この場合、人感センサによって人体の位置するエリアを確認してもよい。また、移動端末の状態が第２所定の条件を満たすとき、ユーザーが移動端末を使用又は携帯していることを表明し、即ち、移動端末の位置するエリアには人体が存在することを意味する。そのとき、直接移動端末の位置するエリアを目標エリアであると確認することができる。第２及び第３の方式により目標エリアを確認する場合、移動端末の状態を検出することによって、移動端末の位置するエリアを目標エリアと確認さえできれば、必要のない人体検出操作を省略でき、それで，計算リソース及び端末の電力消費を節約することが可能である。
【００５３】
ステップ３０３において、当該目標エリアが当該移動端末の位置するエリアを含まない場合、当該目標エリアにおけるリマインドデバイスにリマインド通知を送信する。
【００５４】
ここで、当該リマインド通知は、当該リマインドデバイスが当該リマインド操作に対応するリマインダーを送信するように当該リマインドデバイスを指示するものである。
【００５５】
その１つ前のステップにおいて、人感センサによって収集されたセンサ-パラメータにより目標エリアを確認する場合、更に当該目標エリアが当該移動端末の位置するエリアを含むか否かを検出することが可能である。例えば、予め各エリアの位置関係を記憶して、前記位置関係に基づき目標エリアが移動端末の位置するエリアを含むか否かを確認する。当該移動端末の状態が第２所定の条件を満たすか否かを検出することによって目標エリアを確認する場合、当該移動端末の状態が第２所定の条件を満たしさえすれば、当該目標エリアが当該移動端末の位置するエリアを含むと検出されたことに該当する。目標エリアが移動端末の位置するエリアを含む場合、ユーザーの位置するエリア内にはユーザーが存在することを表明し、その場合、移動端末は自身でリマインド操作を送信するだけで、よいリマインド効果を奏する。目標エリアが移動端末の位置するエリアを含まない場合、移動端末の位置するエリア内にはユーザー存在しないことを表明し、その場合、ユーザーの位置するエリア内のその他のスマートデバイスによってユーザーにリマインダーを送信する必要がある。
【００５６】
移動端末に予め各所定のスペースと当該所定のスペースにおけるリマインドデバイスとの対応関係を記憶してもよい。当該リマインドデバイスは、スマートテレビ、スマートエアコン等いずれかのスマートホームデバイスであってもよい。実際の適用では、目標エリアに複数のリマインドデバイスがある場合、前記複数のリマインドデバイスの中のオン状態にあるリマインドデバイスに当該リマインド通知を送信する。
【００５７】
当該移動端末がスマートフォンであり、リマインドデバイスがスマートテレビであることを例として、図３Ｄを参照して、リマインド場面の模式図が提供された。ここで、所定のスペース３１はリビングルルームであり、所定のスペース３２はベッドルームである。所定のスペース３１には少なくとも１つの人感センサ３１ａ、所定のスペース３２には少なくとも１つの人感センサ３２ａが設定されている。所定のスペース３１（リビングルーム）にスマートテレビ３６ａ及びスマートエアコン３６ｂが配置され、ユーザー王さんはリビングルームでテレビを見て、王さんのスマートフォン３７は所定のスペース３２（ベッドルーム）のベッド上にある。スマートフォン３７に電話が入ったとき、所定のスペース３１に人体が存在しないが、所定のスペース３２に人体が存在すると検出して、且つ所定のスペース３２に存在するリマインドデバイスはスマートテレビ３６ａ及びスマートエアコン３６ｂであり、スマートテレビ３６ａがオン状態にあると検出された場合、スマートフォン３７は家庭内ＬＡＮを介してスマートテレビ３６ａにリマインド通知を送信して、スマートテレビ３６ａはスクリーンの上側に、スマートフォン３７に電話が入ったというリマインド通知を表示する。
【００５８】
上記のように、本発明の実施例に示されるリマインド方法によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００５９】
なお、本発明の実施例に示されるリマインド方法では、目標エリアを確認するとき、移動端末の状態が第２所定の条件を満たすと検出した場合、直接移動端末の位置するエリアを目標エリアであると確認することによって、必要のない人体検出操作を省略でき、計算リソース及び端末の電力消費を節約して、端末の待機時間を向上させる。
【００６０】
図４Ａはもう一つの例示的な実施例に係るリマインド方法のフローチャートである。当該リマインド方法は図１に示された実施環境における移動端末１１０に用いられる。図４Ａに示すように、当該リマインド方法は下記のステップを含んでもよく、即ち、
ステップ４０１において、室内無線位置決め方式により移動端末の位置するエリアをモニタリングする。
【００６１】
ここで、当該移動端末の位置するエリアは少なくとも２つの所定のエリアの１つである。
【００６２】
上記図３Ａに記載の実施例に示すように、同じ時間帯での移動端末及び人体それぞれの運動軌跡によって移動端末の位置するエリアをモニタリングする方法以外に、本発明の実施例に示される方案では、室内無線位置決め方式により移動端末の位置するエリアをモニタリングしてもよい。
【００６３】
例えば、図４Ｂを参照すると、移動端末の位置するエリアの確認の模式図が提供された。ここで、所定のスペース４１はリビングルーム、所定のスペース４２はベッドルームであり、所定のスペース４１及び所定のスペース４２の指定位置に少なくとも３つの無線信号発射点４３が設定され、移動端末４４は当該少なくとも３つの無線信号発射点４３から発射される信号を受信するのにかかる時間の長さによって、その自身と当該３つの無線信号発射点４３との相対的な位置を確認して、移動端末４４が所定のスペース４１及び所定のスペース４２の中のどのエリアにあるのかを確認することができる。
【００６４】
ステップ４０２において、当該移動端末がリマインド操作を実行するようにトリガーされた時、目標エリアを確定し、当該目標エリアは、当該少なくとも２つの所定のエリアの中の人体の存在するエリアである。
【００６５】
ステップ４０３において、当該目標エリアが当該移動端末の位置するエリアを含まない場合、当該目標エリアにリマインドデバイスがあるか否かを判断する。「はい」の場合、ステップ４０４に入り、「いいえ」の場合、ステップ４０５に入る。
【００６６】
ステップ４０４において、当該目標エリアにおけるリマインドデバイスにリマインド通知を送信する。
【００６７】
上記ステップ４０２−４０４の実現過程については、図３Ａに記載の対応する実施例のステップ３０２−３０３に関する説明を参照して、ここではそれに対する説明を省略する。
【００６８】
ステップ４０５において、当該移動端末が所定値よりも大きな音量でリンギングリマインダー操作を実行するように当該移動端末を制御する。
【００６９】
移動端末の位置するエリアに人体が存在せず、且つ人体の存在するエリアにはリマインドデバイスがない場合、移動端末は、リンギングリマインダー操作の音量をユーザーの所定の値よりも高い数値に調整してもよい。例えば、移動端末のリンギングの音量の最大値は１０であり、ユーザーは予めリンギングの音量を５に設定した場合、移動端末は、移動端末の位置するエリアに人体が存在せず、且つ人体の存在するエリアにリマインドデバイスがないと検出したとき、リマインド効果を向上させるために、５よりも大きな音量（例えば８又は１０）でリンギング操作を実行してもよい。
【００７０】
上記のように、本発明の実施例に示されるリマインド方法によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００７１】
なお、本発明の実施例に示されるリマインド方法によれば、移動端末はリマインド操作を実行するようにトリガーされたとき、移動端末の状態が第２所定の条件を満たすと検出した場合、直接移動端末の位置するエリアを目標エリアであると確認することによって、必要のない人体検出操作を省略でき、計算リソース及び端末の電力消費を節約して、端末の待機時間を向上させる。
【００７２】
また、本発明の実施例に示されるリマインド方法によれば、移動端末の位置するエリアに人体が存在せず、且つ人体の存在するエリアにはリマインドデバイスがない場合、移動端末は所定値よりも大きな音量でリンギング操作を実行して、リマインド効果を向上させる。
【００７３】
下記は本発明の装置の実施例であり、本発明の方法の実施例を実行するのに用いられる。本発明の装置の実施例に記載されない詳細は、本発明の方法の実施例を参照する。
【００７４】
図５は一つの例示的な実施例に係るリマインド装置を示すブロック図である。当該リマインド装置は、図１に示された実施環境における移動端末１１０に用いられ、図２、図３Ａ又は図４Ａのいずれかに示されたリマインド方法におけるステップの全部又は一部を実行する。図５に示すように、当該リマインド装置は、モニタリングモジュール５０１、エリア確認モジュール５０２及び通知モジュール５０３を備えるが、それらに限らない。
【００７５】
前記モニタリングモジュール５０１は、移動端末の位置するエリアをモニタリングするように配置される。前記移動端末の位置するエリアは、少なくとも２つの所定のエリアの中の１つである。
【００７６】
前記エリア確認モジュール５０２は、前記移動端末がリマインド操作を実行するようにトリガーされたとき、目標エリアを確認するように配置される。前記目標エリアは、前記少なくとも２つの所定のエリアの中の人体の存在するエリアである。
【００７７】
前記通知モジュール５０３は、前記エリア確認モジュール５０２によって確認された目標エリアが前記移動端末の位置するエリアを含まない場合、前記目標エリアにおけるリマインドデバイスにリマインド通知を送信するように配置される。前記リマインド通知は、前記リマインドデバイスが前記リマインド操作に対応するリマインダーを送信するように前記リマインドデバイスを指示するためのものである。
【００７８】
上記のように、本発明の実施例に示されるリマインド装置によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００７９】
図６はもう一つの例示的な実施例に係るリマインド装置を示すブロック図である。当該リマインド装置は、図１に示された実施環境における移動端末１１０に用いられ、図２、図３Ａ又は図４Ａのいずれかに示されたリマインド方法におけるステップの全部又は一部を実行する。図６に示すように、当該リマインド装置は、モニタリングモジュール５０１、エリア確認モジュール５０２及び通知モジュール５０３を備えるが、それらに限らない。
【００８０】
前記モニタリングモジュール５０１は、移動端末の位置するエリアをモニタリングするように配置される。前記移動端末の位置するエリアは、少なくとも２つの所定のエリアの中の１つである。
【００８１】
前記エリア確認モジュール５０２は、前記移動端末がリマインド操作を実行するようにトリガーされたとき、目標エリアを確認するように配置される。前記目標エリアは、前記少なくとも２つの所定のエリアの中の人体の存在するエリアである。
【００８２】
前記通知モジュール５０３は、前記エリア確認モジュール５０２によって確認された目標エリアが前記移動端末の位置するエリアを含まない場合、前記目標エリアにおけるリマインドデバイスにリマインド通知を送信するように配置される。前記リマインド通知は、前記リマインドデバイスが前記リマインド操作に対応するリマインダーを送信するようにリマインドデバイスを指示するためのものである。
【００８３】
前記エリア確認モジュール５０２は、
前記移動端末の状態が第１所定の条件を満たすか否かを検出するように配置される第１検出サブモジュール５０２ａと、
前記第１検出サブモジュール５０２ａによって検出した結果、前記移動端末の状態が前記第１所定の条件を満たす場合、前記少なくとも２つの所定のエリアの中の各エリアについて、前記エリア内に設定された人感センサによって収集されたセンサパラメータを取得するように配置される第１パラメータ取得サブモジュール５０２ｂと、
前記第１パラメータ取得サブモジュール５０２ａによって取得されたセンサパラメータにより前記エリア内に人体が存在するか否かを検出するように配置される第１人体検出サブモジュール５０２ｃと、
前記第１人体検出サブモジュール５０２ｂによって検出した結果、前記エリア内に人体が存在する場合、前記エリアを前記目標エリアであると確認するように配置される第１確認サブモジュール５０２ｄと、を備えてもよい。
【００８４】
ここで、前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【００８５】
好ましくは、前記エリア確認モジュール５０２は、
前記移動端末の状態が第２所定の条件を満たすか否かを検出するように配置される第２検出サブモジュール５０２ｅと、
前記第２検出サブモジュール５０２ｅによって検出した結果、前記移動端末の状態が第２所定の条件を満たす場合、前記移動端末の位置するエリアを前記目標エリアであると確認するように配置される第２確認サブモジュール５０２ｆと、を備えてもよい。
【００８６】
ここで、前記移動端末の状態は運動状態及び操作状態を含み、前記第２所定の条件は、前記移動端末の運動状態が静止状態であること、及び前記移動端末の操作状態はユーザー操作を受信していない状態の少なくとも１つを含む。
【００８７】
好ましくは、前記エリア確認モジュール５０２は，
前記少なくとも２つの所定のエリアの中の各エリアについて、前記エリア内に設定された人感センサによって収集されたセンサパラメータを取得するように配置される第２パラメータ取得サブモジュール５０２ｇと、
前記第２パラメータ取得サブモジュール５０２ｇによって取得されたセンサパラメータにより前記エリア内に人体が存在するか否かを検出するように配置される第２人体検出サブモジュール５０２ｈと、
前記第２人体検出サブモジュール５０２ｈによって検出した結果、前記エリア内に人体が存在する場合、前記エリアを前記目標エリアであると確認するように配置される第３確認サブモジュール５０２ｉと、を備えてもよい。
【００８８】
好ましくは、前記モニタリングモジュール５０１は，
前記移動端末の位置が移動したと検出した場合、所定の時間帯での前記移動端末の運動軌跡を取得するように配置される第１軌跡取得サブモジュール５０１ａと、
前記少なくとも２つのエリア内に設定された人感センサによって前記所定の時間帯で収集されたセンサパラメータにより、前記少なくとも２つのエリア内の少なくとも１つの人体の運動軌跡を取得するように配置される第２軌跡取得サブモジュール５０１ｂと、
前記少なくとも１つの人体の中の、運動軌跡が前記移動端末の運動軌跡にマッチングする人体の位置するエリアを前記移動端末の位置するエリアであると確認するように配置される第４確認サブモジュール５０１ｃと、を備えてもよく、前記所定の時間帯は、前記移動端末が移動を始める時刻から前記移動端末が移動を停止する時刻までの時間帯である。
【００８９】
好ましくは、前記モニタリングモジュール５０１は、室内無線位置決め方式により前記移動端末の位置するエリアをモニタリングするように配置されてもよい。
【００９０】
好ましくは、前記装置は制御モジュール５０４を備えてもよい。
【００９１】
前記制御モジュール５０４は、下記のように配置される。即ち、前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御する。
【００９２】
つまり、本発明の実施例に示されるリマインド装置によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００９３】
なお、本発明の実施例に示されるリマインド装置によれば、目標エリアを確認するとき、先ず移動端末の状態が所定の条件を満たすか否かを検出して、且つ移動端末の状態が所定の条件を満たすと検出したときでさえ、目標エリアを確認するステップを実行する。それで、必要のない人体モニタリング操作を省略でき、計算リソース及び端末の電力消費を節約して、端末の待機時間を向上させる。
【００９４】
また、本発明の実施例に示されるリマインド装置によれば、移動端末の位置するエリアに人体が存在せず、且つ人体の存在するエリアにはリマインドデバイスがない場合、移動端末は所定値よりも大きな音量でリンギング操作を実行して、リマインド効果を向上させる。
【００９５】
本発明はリマインド装置を提供する。前記装置は、
プロセッサと、
プロセッサにより実行可能なインストラクションを記憶するためのメモリと
を備え、
前記プロセッサは、
移動端末の位置するエリアをモニタリングし、
前記移動端末がリマインド操作を実行するようにトリガーされたとき、目標エリアを確認し、
前記目標エリアが前記移動端末の位置するエリアを含まない場合、前記目標エリアにおけるリマインドデバイスにリマインド通知を送信するように配置され、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスに前記リマインド操作に対応するリマインダーを送信するように指示するものである。
【００９６】
好ましくは、前記移動端末がリマインド操作を実行するようにトリガーされたとき、目標エリアを確認するステップは、
前記移動端末の状態が第１所定の条件を満たすか否かを検出するステップと、
検出した結果、前記移動端末の状態が前記第１所定の条件を満たす場合、前記少なくとも２つの所定のエリアの中の各エリアについて、前記エリア内に設定された人感センサによって収集されたセンサパラメータを取得するステップと、
前記センサ-パラメータにより前記エリア内に人体が存在するか否かを検出するステップと、
検出した結果、前記エリア内に人体が存在する場合、前記エリアを前記目標エリアであると確認するステップとを含み、
前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【００９７】
好ましくは、前記移動端末がリマインド操作を実行するようにトリガーされたとき、目標エリアを確認するステップは、
前記移動端末の状態が第２所定の条件を満たすか否かを検出するステップと、
検出した結果、前記移動端末の状態が第２所定の条件を満たす場合、前記移動端末の位置するエリアを前記目標エリアであると確認するステップと、を含み、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含む。
【００９８】
好ましくは、前記移動端末がリマインド操作を実行するようにトリガーされたとき、目標エリアを確認するステップは、
前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含んでもよい。
【００９９】
好ましくは、前記移動端末の位置するエリアをモニタリングするステップは、
前記移動端末の位置が移動したと検出した場合、所定の時間帯での前記移動端末の運動軌跡を取得するステップと、
前記少なくとも２つのエリア内に設定された人感センサによって前記所定の時間帯で収集されたセンサパラメータにより、前記少なくとも２つのエリア内の少なくとも１つの人体の運動軌跡を取得するステップと、
前記少なくとも１つの人体の中の、運動軌跡が前記移動端末の運動軌跡にマッチングする人体の位置するエリアを前記移動端末の位置するエリアであると確認するステップと、を含み、
前記所定の時間帯は、前記移動端末が移動を始める時刻から前記移動端末が移動を停止する時刻までの時間帯である。
【０１００】
好ましくは、前記移動端末の位置するエリアをモニタリングするステップは、
室内無線位置決め方式により前記移動端末の位置するエリアをモニタリングするステップを含んでもよい。
【０１０１】
好ましくは、前記方法は、さらに、
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御するステップを含んでもよい。
【０１０２】
図７は、一つの例示的な実施例に係る装置７００のブロック図である。例えば、装置７００は、スマートフォン、タブレットデバイス、電子書籍リーダー等のようなスマート端末であってもよい。
【０１０３】
図７に示すように、装置７００は、プロセス部材７０２、メモリ７０４、電源部材７０６、マルチメディア部材７０８、オーディオ部材７１０、センサ部材７１４及び通信部材７１６からなる群から選ばれる少なくとも１つを備えてもよい。
【０１０４】
プロセス部材７０２は、一般的には、装置７００の全体の操作、例えば、表示、電話呼び出し、データ通信、カメラ操作及び記録操作に関連する操作を制御する。プロセス部材７０２は、上述の方法におけるステップの一部又は全部を実現できるように、インストラクションを実行する少なくとも１つのプロセッサ７１８を備えてもよい。なお、プロセス部材７０２は、他の部材とのインタラクションの便宜上、少なくとも１つのモジュールを備えてもよい。例えば、プロセス部材７０２は、マルチメディア部材７０８とのインタラクションの便利を図るために、マルチメディアモジュールを備えてもよい。
【０１０５】
メモリ７０４は、装置７００における操作を支援するための、各種のデータを記憶するように構成される。これらのデータの例として、装置７００において操作される何れのアプリケーション又は方法に関するインストラクションを含む。メモリ７０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。また、前記図２、３Ａ又は図４Ａに示されたいずれの方法におけるステップの一部又は全部を実現できるように、メモリ７０４には、当該１つ又は複数の中プロセッサ７１８によって実行するように配置される１つ又は複数のモジュールを備える。
【０１０６】
電源部材７０６は、装置７００の各種部材に電力を供給するためのものであり、電源管理システム、１つ又は複数の電源、及び装置７００のために電力を生成、管理及び分配することに関連のある他の部材を備えてもよい。
【０１０７】
マルチメディア部材７０８は、装置７００とユーザーとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザーからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。
【０１０８】
オーディオ部材７１０は、オーディオ信号を出力及び／又は入力するように構成される。例えば、オーディオ部材７１０は、マイクロフォン（ＭＩＣ）を有してもよい。装置７００が、例えば呼び出しモード、記録モード又は音声認識モードのような操作モードにある場合、マイクロフォンは外部のオーディオ信号を受信するように構成される。受信されたオーディオ信号は、メモリ７０４に記憶されてもよく、通信部材７１６を介して送信されてもよい。何れかの実施例において、オーディオ部材７１０は、オーディオ信号を出力するためのスピーカをさらに備えてもよい。
【０１０９】
センサ部材７１４は、装置７００のために各方面の状態評価を提供するための少なくとも１つのセンサを備えてもよい。例えば、センサ部材７１４は、装置７００のオン／オフ状態や、部材の相対的な位置を検出することができる。センサ部材７１４は、装置７００又は装置７００の１つの部材の位置の変化、及び装置７００の温度変化を検出することができる。何れかの実施例において、当該センサ部材７１４はさらに、磁気センサ、圧力センサ又は温度センサを含んでもよい。
【０１１０】
通信部材７１６は、装置７００と他の設備との間の無線又は有線通信が便利になるように構成される。装置７００は、通信標準に基づく無線ネットワーク、例えばＷｉＦｉ（登録商標）、２Ｇ又は３Ｇ、又はそれらの組み合わせにアクセスできる。１つの例示的な実施例において、通信部材７１６は、ブロードキャストチャンネルを介して外部のブロードキャスト管理システムからのブロードキャスト信号又はブロードキャストに関する情報を受信することができる。１つの例示的な実施例において、前記通信部材７１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術により実現されてもよい。
【０１１１】
例示的な実施例において、装置７００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１１２】
例示的な実施例において、さらに、装置７００のプロセッサ７１８により実行されることにより上述の方法を実現可能なインストラクションが記憶され、且つコンピュータに読み取り可能な不揮発性の記録媒体、例えばインストラクションが記憶されているメモリ７０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１１３】
上記実施例に記載された装置について、各モジュールが操作を実行する具体的な方式は、既に当該方法に関する実施例で詳しく説明したので、ここでは詳しい説明を省略する。
【０１１４】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【０１１５】
本発明は、出願番号がＣＮ２０１５１０６４２３８４．１であって、出願日が２０１５年９月３０日である中国特許出願に基づき優先権を主張し、当該中国特許出願のすべての内容を本願に援用する。
【図１】
2017539186.tif 000003
【図２】
2017539186.tif 000004
【図３Ａ】
2017539186.tif 000005
【図３Ｂ】
2017539186.tif 000006
【図３Ｃ】
2017539186.tif 000007
【図３Ｄ】
2017539186.tif 000008
【図４Ａ】
2017539186.tif 000009
【図４Ｂ】
2017539186.tif 000010
【図５】
2017539186.tif 000011
【図６】
2017539186.tif 000012
【図７】
2017539186.tif 000013
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
移動端末の位置するエリアをモニタリングするステップと、
前記移動端末がリマインド操作を実行するようにトリガーされたとき、目標エリアを確認するステップと、
前記目標エリアが前記移動端末の位置するエリアを含まない場合、前記目標エリアにおけるリマインドデバイスにリマインド通知を送信するステップとを含み、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであることを特徴とするリマインド方法。
【請求項２】
前記移動端末が前記リマインド操作を実行するようにトリガーされたとき、前記目標エリアを確認するステップは、
前記移動端末の状態が第１所定の条件を満たすか否かを検出するステップと、
検出した結果、前記移動端末の状態が前記第１所定の条件を満たす場合、前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含み、
前記移動端末の状態は運動状態及び操作状態を含み、前記第１所定の条件は、前記移動端末の運動状態が静止状態であること、且つ前記移動端末の操作状態がユーザー操作を受信していない状態であることを含むことを特徴とする請求項１に記載のリマインド方法。
【請求項３】
前記移動端末が前記リマインド操作を実行するようにトリガーされたとき、前記目標エリアを確認するステップは、
前記移動端末の状態が第２所定の条件を満たすか否かを検出するステップと、
検出した結果、前記移動端末の状態が第２所定の条件を満たす場合、前記移動端末の位置するエリアを前記目標エリアであると確認するステップと、を含み、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含むことを特徴とする請求項１に記載のリマインド方法。
【請求項４】
前記移動端末が前記リマインド操作を実行するようにトリガーされたとき、前記目標エリアを確認するステップは、
前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含むことを特徴とする請求項１に記載のリマインド方法。
【請求項５】
前記移動端末の位置するエリアをモニタリングするステップは、
前記移動端末の位置が移動したと検出した場合、所定の時間帯での前記移動端末の運動軌跡を取得するステップと、
前記少なくとも２つのエリア内に設定された人感センサによって前記所定の時間帯で収集されたセンサパラメータにより、前記少なくとも２つのエリア内の少なくとも１つの人体の運動軌跡を取得するステップと、
前記少なくとも１つの人体の中の、運動軌跡が前記移動端末の運動軌跡にマッチングする人体の位置するエリアを前記移動端末の位置するエリアであると確認するステップと、を含み、
前記所定の時間帯は、前記移動端末が移動を始める時刻から前記移動端末が移動を停止する時刻までの時間帯であることを特徴とする請求項１に記載のリマインド方法。
【請求項６】
前記移動端末の位置するエリアをモニタリングするステップは、
室内無線位置決め方式により前記移動端末の位置するエリアをモニタリングするステップを含むことを特徴とする請求項１に記載のリマインド方法。
【請求項７】
前記リマインド方法は、さらに、
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御するステップを含むことを特徴とする請求項１に記載のリマインド方法。
【請求項８】
移動端末の位置するエリアをモニタリングするように配置されるモニタリングモジュールと、
前記移動端末がリマインド操作を実行するようにトリガーされたとき、目標エリアを確認するように配置されるエリア確認モジュールと、
前記エリア確認モジュールによって確認された目標エリアが前記移動端末の位置するエリアを含まない場合、前記目標エリアにおけるリマインドデバイスにリマインド通知を送信するように配置される通知モジュールとを備え、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであることを特徴とするリマインド装置。
【請求項９】
前記エリア確認モジュールは、
前記移動端末の状態が第１所定の条件を満たすか否かを検出するように配置される第１検出サブモジュールと、
前記第１検出サブモジュールによって検出した結果、前記移動端末の状態が前記第１所定の条件を満たす場合、前記少なくとも２つの所定のエリアの中の各エリアについて、前記エリア内に設定された人感センサによって収集されたセンサパラメータを取得するように配置される第１パラメータ取得サブモジュールと、
前記第１パラメータ取得サブモジュールによって取得されたセンサパラメータにより前記エリア内に人体が存在するか否かを検出するように配置される第１人体検出サブモジュールと、
前記第１人体検出サブモジュールによって検出した結果、前記エリア内に人体が存在する場合、前記エリアを前記目標エリアであると確認するように配置される第１確認サブモジュールとを備え、
前記移動端末の状態は運動状態及び操作状態を含み、前記第１所定の条件は、前記移動端末の運動状態が静止状態であること、且つ前記移動端末の操作状態がユーザー操作を受信していない状態であることを含むことを特徴とする請求項８に記載のリマインド装置。
【請求項１０】
前記エリア確認モジュールは、
前記移動端末の状態が第２所定の条件を満たすか否かを検出するように配置される第２検出サブモジュールと、
前記第２検出サブモジュールによって検出した結果、前記移動端末の状態が第２所定の条件を満たす場合、前記移動端末の位置するエリアを前記目標エリアであると確認するように配置される第２確認サブモジュールとを備え、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含むことを特徴とする請求項８に記載のリマインド装置。
【請求項１１】
前記エリア確認モジュールは、
前記少なくとも２つの所定のエリアの中の各エリアについて、前記エリア内に設定された人感センサによって収集されたセンサパラメータを取得するように配置される第２パラメータ取得サブモジュールと、
前記第２パラメータ取得サブモジュールによって取得されたセンサパラメータにより前記エリア内に人体が存在するか否かを検出するように配置される第２人体検出サブモジュールと、
前記第２人体検出サブモジュールによって検出した結果、前記エリア内に人体が存在する場合、前記エリアを前記目標エリアであると確認するように配置される第３確認サブモジュールとを備えることを特徴とする請求項８に記載のリマインド装置。
【請求項１２】
前記モニタリングモジュールは、
前記移動端末の位置が移動したと検出した場合、所定の時間帯での前記移動端末の運動軌跡を取得するように配置される第１軌跡取得サブモジュールと、
前記少なくとも２つのエリア内に設定された人感センサによって前記所定の時間帯で収集されたセンサパラメータにより、前記少なくとも２つのエリア内の少なくとも１つの人体の運動軌跡を取得するように配置される第２軌跡取得サブモジュールと、
前記少なくとも１つの人体の中の、運動軌跡が前記移動端末の運動軌跡にマッチングする人体の位置するエリアを前記移動端末の位置するエリアであると確認するように配置される第４確認サブモジュールとを備え、
前記所定の時間帯は、前記移動端末が移動を始める時刻から前記移動端末が移動を停止する時刻までの時間帯であることを特徴とする請求項８に記載のリマインド装置。
【請求項１３】
前記モニタリングモジュールは、室内無線位置決め方式により前記移動端末の位置するエリアをモニタリングするように配置されることを特徴とする請求項８に記載のリマインド装置。
【請求項１４】
前記リマインド装置は、さらに
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御する制御モジュールを備えることを特徴とする請求項８に記載のリマインド装置。
【請求項１５】
プロセッサと、
プロセッサにより実行可能なインストラクションを記憶するためのメモリとを備え、
前記プロセッサは、
移動端末の位置するエリアをモニタリングし、
前記移動端末がリマインド操作を実行するようにトリガーされたとき、目標エリアを確認し、
前記目標エリアが前記移動端末の位置するエリアを含まない場合、前記目標エリアにおけるリマインドデバイスにリマインド通知を送信するように配置され、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスに前記リマインド操作に対応するリマインダーを送信するように指示するものであることを特徴とするリマインド装置。
【請求項１６】
プロセッサに実行されることにより、請求項１から請求項７のいずれか１項に記載のリマインド方法を実現する記録媒体に記録されたプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明はスマートホーム（Ｓｍａｒｔ  Ｈｏｍｅ）分野に関し、特にリマインド方法、装置、プログラム及び記録媒体に関する。
【背景技術】
【０００２】
コンピュータ及び通信技術の発展に伴い、スマートフォンを代表とする移動端末はますますポピュラーになっており、人々の日常生活に大きな利便性をもたらす。
【０００３】
移動端末は、ユーザーが適時にチェックする必要のあるメッセージを受信又は生じたとき、通常所定のリマインド操作を実行する。関連技術においては、移動端末は、内蔵されたスピーカによってリンギングリマインダーを発して、又は内蔵されたモーターによって振動リマインダーを発する。
【発明の概要】
【発明が解決しようとする課題】
【０００４】
ところが、ユーザーが移動端末から遠く離れているとき、リンギング又は振動はユーザーに適時にリマインドできない可能性があり、リマインド効果はよくない。
【課題を解決するための手段】
【０００５】
本発明は、従来技術に存在する上記のような問題を解決するためになされたものであり、リマインド方法、装置、プログラム及び記録媒体を提供する。前記の解決策は下記の通りであり、即ち、
本発明の実施例に係る第１様態によれば、
移動端末の位置するエリアをモニタリングするステップと、
前記移動端末がリマインド操作を実行するようにトリガーされたとき、目標エリアを確認するステップと、
前記目標エリアが前記移動端末の位置するエリアを含まない場合、前記目標エリアにおけるリマインドデバイスにリマインド通知を送信するステップとを含み、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであるリマインド方法を提供する。
【０００６】
前記移動端末がリマインド操作を実行するようにトリガーされたとき、目標エリアを確認するステップは、
前記移動端末の状態が第１所定の条件を満たすか否かを検出するステップと、
検出した結果、前記移動端末の状態が前記第１所定の条件を満たす場合、前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含み、
前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【０００７】
前記移動端末がリマインド操作を実行するようにトリガーされたとき、目標エリアを確認するステップは、
前記移動端末の状態が第２所定の条件を満たすか否かを検出するステップと、
検出した結果、前記移動端末の状態が第２所定の条件を満たす場合、前記移動端末の位置するエリアを前記目標エリアであると確認するステップと、を含み、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含む。
【０００８】
前記移動端末がリマインド操作を実行するようにトリガーされたとき、目標エリアを確認するステップは、
前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含んでもよい。
【０００９】
前記移動端末の位置するエリアをモニタリングするステップは、
前記移動端末の位置が移動したと検出した場合、所定の時間帯での前記移動端末の運動軌跡を取得するステップと、
前記少なくとも２つのエリア内に設定された人感センサによって前記所定の時間帯で収集されたセンサパラメータにより、前記少なくとも２つのエリア内の少なくとも１つの人体の運動軌跡を取得するステップと、
前記少なくとも１つの人体の中の、運動軌跡が前記移動端末の運動軌跡にマッチングする人体の位置するエリアを前記移動端末の位置するエリアであると確認するステップと、を含み、
前記所定の時間帯は、前記移動端末が移動を始める時刻から前記移動端末が移動を停止する時刻までの時間帯である。
【００１０】
前記移動端末の位置するエリアをモニタリングするステップは、
室内無線位置決め方式により前記移動端末の位置するエリアをモニタリングするステップを含む。
【００１１】
前記方法は、さらに、
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御するステップを含んでもよい。
【００１２】
本発明の実施例に係る第２様態によれば、
移動端末の位置するエリアをモニタリングするように配置されるモニタリングモジュールと、
前記移動端末がリマインド操作を実行するようにトリガーされたとき、目標エリアを確認するように配置されるエリア確認モジュールと、
前記エリア確認モジュールによって確認された目標エリアが前記移動端末の位置するエリアを含まない場合、前記目標エリアにおけるリマインドデバイスにリマインド通知を送信するように配置される通知モジュールとを備え、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスが前記リマインド操作に対応するリマインダーを送信するように前記リマインドデバイスを指示するためのものであるリマインド装置を提供する。
【００１３】
エリア確認モジュールは、
前記移動端末の状態が第１所定の条件を満たすか否かを検出するように配置される第１検出サブモジュールと、
前記第１検出サブモジュールによって検出した結果、前記移動端末の状態が前記第１所定の条件を満たす場合、前記少なくとも２つの所定のエリアの中の各エリアについて、前記エリア内に設定された人感センサによって収集されたセンサパラメータを取得するように配置される第１パラメータ取得サブモジュールと、
前記第１パラメータ取得サブモジュールによって取得されたセンサパラメータにより前記エリア内に人体が存在するか否かを検出するように配置される第１人体検出サブモジュールと、
前記第１人体検出サブモジュールによって検出した結果、前記エリア内に人体が存在する場合、前記エリアを前記目標エリアであると確認するように配置される第１確認サブモジュールとを備え、
前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【００１４】
前記エリア確認モジュールは、
前記移動端末の状態が第２所定の条件を満たすか否かを検出するように配置される第２検出サブモジュールと、
前記第２検出サブモジュールによって検出した結果、前記移動端末の状態が第２所定の条件を満たす場合、前記移動端末の位置するエリアを前記目標エリアであると確認するように配置される第２確認サブモジュールとを備え、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含む。
【００１５】
前記エリア確認モジュールは、
前記少なくとも２つの所定のエリアの中の各エリアについて、前記エリア内に設定された人感センサによって収集されたセンサパラメータを取得するように配置される第２パラメータ取得サブモジュールと、
前記第２パラメータ取得サブモジュールによって取得されたセンサパラメータにより前記エリア内に人体が存在するか否かを検出するように配置される第２人体検出サブモジュールと、
前記第２人体モニタリングサブモジュールによって検出した結果、前記エリア内に人体が存在する場合、前記エリアを前記目標エリアであると確認するように配置される第３確認サブモジュールとを備えてもよい。
【００１６】
前記モニタリングモジュールは、
前記移動端末の位置が移動したと検出した場合、所定の時間帯での前記移動端末の運動軌跡を取得するように配置される第１軌跡取得サブモジュールと、
前記少なくとも２つのエリア内に設定された人感センサによって前記所定の時間帯で収集されたセンサパラメータにより、前記少なくとも２つのエリア内の少なくとも１つの人体の運動軌跡を取得するように配置される第２軌跡取得サブモジュールと、
前記少なくとも１つの人体の中の、運動軌跡が前記移動端末の運動軌跡にマッチングする人体の位置するエリアを前記移動端末の位置するエリアであると確認するように配置される第４確認サブモジュールとを備え、
前記所定の時間帯は、前記移動端末が移動を始める時刻から前記移動端末が移動を停止する時刻までの時間帯である。
【００１７】
前記モニタリングモジュールは、室内無線位置決め方式により前記移動端末の位置するエリアをモニタリングするように配置されてもよい。
【００１８】
前記装置は、さらに、前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御する制御モジュールを備えてもよい。
【００１９】
本発明の実施例に係る第３様態によれば、
プロセッサと、
プロセッサにより実行可能なインストラクションを記憶するためのメモリとを備え、
前記プロセッサは、
移動端末の位置するエリアをモニタリングし、
前記移動端末がリマインド操作を実行するようにトリガーされたとき、目標エリアを確認し、
前記目標エリアが前記移動端末の位置するエリアを含まない場合、前記目標エリアにおけるリマインドデバイスにリマインド通知を送信するように配置され、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスに前記リマインド操作に対応するリマインダーを送信するように指示するものであるリマインド装置を提供する。
本発明の実施例に係る第４様態によれば、プロセッサに実行されることにより、前記リマインド方法を実現する記録媒体に記録されたプログラムを提供する。
本発明の実施例に係る第５様態によれば、前記プログラムが記録された記録媒体を提供する。
【発明の効果】
【００２０】
本発明の実施例により提供された解決策によれば、以下のような有益な効果が得られる。即ち、
移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００２１】
なお、上述の一般的な記載及び後述の詳細な記載は、単なる例示的で解釈であり、本発明に対する限定として見なしてはいけない。
【図面の簡単な説明】
【００２２】
以下の図面は、明細書に組み込まれて本願明細書の一部分となり、本願発明に係る実施例を示し、且つ明細書とともに、本発明の原理の説明に用いられる。
【図１】図１は、本発明に係る実施環境を示す模式図である。
【図２】図２は、一つの例示的な実施例に係るリマインド方法のフローチャートである。
【図３Ａ】図３Ａは、もう一つの例示的な実施例に係るリマインド方法のフローチャートである。
【図３Ｂ】図３Ｂは、図３Ａに対応する実施例に提供されたエリアの確認方法のフローチャートである。
【図３Ｃ】図３Ｃは、図３Ａに対応する実施例に提供された移動端末の位置するエリアの確認の模式図である。
【図３Ｄ】図３Ｄは、図３Ａに対応する実施例に提供されたリマインド場面の模式図である。
【図４Ａ】図４Ａは、もう一つの例示的な実施例に係るリマインド方法のフローチャートである。
【図４Ｂ】図４Ｂは、図４Ａに対応する実施例に提供された移動端末の位置するエリアの確認の模式図である。
【図５】図５は、一つの例示的な実施例に係るリマインド装置を示すブロック図である。
【図６】図６は、もう一つの例示的な実施例に係るリマインド装置を示すブロック図である。
【図７】図７は、一つの例示的な実施例に係る装置を示すブロック図である。
【発明を実施するための形態】
【００２３】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００２４】
図１は、本発明に係る実施環境を示す模式図である。当該実施環境は、移動端末１１０及び少なくとも１つのスマートデバイス１２０を含む。
【００２５】
ここで、移動端末１１０は、スマートフォン、タブレットＰＣ又は電子書籍リーダー等のスマート端末であってもよい。
【００２６】
少なくとも１つのスマートデバイス１２０は、各種のスマートホームデバイス、例えば、スマートテレビ（Ｓｍａｒｔ  ＴＶ）、スマートテレビ・セットトップボックス（ｓｅｔ−ｔｏｐ  ｂｏｘ）、スマートエアコン及びスマートカメラ等であってもよい。
【００２７】
移動端末１１０は有線または無線ネットワークを介してスマートデバイス１２０に接続される。
【００２８】
好ましくは、当該少なくとも１つのスマートデバイス１２０は少なくとも２つの所定のエリアに配布されてもよい。それぞれの所定のエリアにはいくつかのセンサ１３０が設定され、これらのセンサ１３０は、人感センサ（Ｈｕｍａｎ  ｂｏｄｙ  ｓｅｎｓｏｒ）及びドア・窓センサ（Ｄｏｏｒｓ  ａｎｄ  ｗｉｎｄｏｗｓ  ｓｅｎｓｏｒ）等を含んでもよい。当該いくつかのセンサ１３０も有線または無線ネットワークを介して移動端末１１０に接続される。例えば、１つの実現形態において、移動端末１１０は無線ネットワークを介してスマートルーターに接続され、当該いくつかのセンサ１３０とスマートルーターとはＺｉｇＢｅｅによってネットワークをなす。センサ１３０によって収集されたセンサパラメータはスマートルーターを介して移動端末１１０に送信される。
【００２９】
図２は、一つの例示的な実施例に係るリマインド方法のフローチャートである。当該リマインド方法は図１に示された実施環境における移動端末１１０に用いられる。図２に示すように、当該リマインド方法は下記のステップを含んでもよく、即ち、
ステップ２０１において、移動端末の位置するエリアをモニタリングする。当該移動端末の位置するエリアは、少なくとも２つの所定のエリアの中の１つである。
【００３０】
ステップ２０２において、当該移動端末がリマインド操作を実行するようにトリガーされた時、目標エリアを確認する。当該目標エリアは、当該少なくとも２つの所定のエリアの中の人体の存在するエリアである。
【００３１】
ステップ２０３において、当該目標エリアが当該移動端末の位置するエリアを含まない場合、当該目標エリアにおけるリマインドデバイスにリマインド通知を送信する。
【００３２】
ここで、当該リマインド通知は、当該リマインドデバイスが当該リマインド操作に対応するリマインダーを送信するように当該リマインドデバイスを指示するためのものである。
【００３３】
上記のように、本発明の実施例に示されるリマインド方法によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００３４】
図３Ａは、もう一つの例示的な実施例に係るリマインド方法のフローチャートである。当該リマインド方法は図１に示された実施環境における移動端末１１０に用いられる。図３Ａに示すように、当該リマインド方法は下記のステップを含んでもよく、即ち、
ステップ３０１において、移動端末及び人体それぞれの移動軌跡によって移動端末の位置するエリアをモニタリングする。
【００３５】
ここで、当該移動端末の位置するエリアは、少なくとも２つの所定のエリアの中の１つである。
【００３６】
本発明の実施例に示される方案において、同じ時間帯で移動端末及び人体それぞれの運動軌跡によって、移動端末の位置するエリアをモニタリングする。図３Ｂに示されたエリアの確認方法のフローチャートを参照する。当該方法は、下記のステップを含んでもよく、即ち、
ステップ３０１ａにおいて、移動端末の位置が移動されたと検出された時、所定の時間帯での当該移動端末の運動軌跡を取得する。
【００３７】
ここで、当該所定の時間帯は、当該移動端末が移動を始める時刻から当該移動端末が移動を停止する時刻までの時間帯である。
【００３８】
移動端末には加速度センサが設定されてもよい。加速度センサによって収集されたパラメータにより移動端末の、移動開始、移動方向、移動スピード及び移動加速度等のような移動状態を検出する。移動端末の移動開始を検出した後の所定の時間帯で、加速度センサによって収集されたパラメータにより移動端末の当該所定の時間帯における運動軌跡を算出する。
【００３９】
ステップ３０１ｂにおいて、当該少なくとも２つのエリアに設置された人感センサによって当該所定の時間帯内で収集されたセンサパラメータにより、当該少なくとも２つのエリアにおける少なくとも１つの人体の運動軌跡を取得する。
【００４０】
人体の運動軌跡は人感センサによって収集されたセンサ-パラメータにより確認されることができる。例えば、図３Ｃを参照すると、移動端末の位置するエリアの確認の模式図が提供された。ここで、所定のスペース３１はリビングルームであり、所定のスペース３２はベッドルームである。所定のスペース３１には少なくとも１つの人感センサ３１ａが設定され、所定のスペース３２には少なくとも１つの人感センサ３２ａが設定されている。所定のスペース３１には人体３１ｂ、所定のスペース３２には人体３２ｂが存在する。少なくとも１つの人感センサ３１ａ及び少なくとも１つの人感センサ３２ａは、収集されたセンサパラメータを有線又は無線ネットワークを介して移動端末に送信する。移動端末は、自身の所定の時間帯における運動軌跡を算出するときも少なくとも１つの人感センサ３１ａ、及び少なくとも１つの人感センサ３２ａによって収集されたセンサ-パラメータにより、人体３１ｂ及び人体３２ｂそれぞれの運動軌跡を算出する。
【００４１】
ステップ３０１ｃにおいて、少なくとも１つの人体のなかの、運動軌跡が当該移動端末の運動軌跡にマッチングングする人体の位置するエリアを当該移動端末の位置するエリアであると確認する。
【００４２】
図３Ｃに示された場面を例として、算出された移動端末の軌跡は運動軌跡３３であり、人体３１ｂの運動軌跡は運動軌跡３４、人体３２ｂの運動軌跡は運動軌跡３５であり、移動端末は、運動軌跡３３と、運動軌跡３４及び運動軌跡３５のそれぞれとのマッチング度を算出する。算出した結果、運動軌跡３３は運動軌跡３４とのマッチング度がより高いので、人体３１ｂが移動端末を持ちながら移動していると判断することができる。そのとき、人体３１ｂの位置するエリアが移動端末の位置するエリアである。
【００４３】
移動端末が移動を停止した時、移動端末の位置するエリアは、当該移動端末の運動軌跡にマッチングする人体の位置するエリアである。移動端末が静止状態にあるとき、その位置するエリアは変わらない。移動端末が再び移動を開始するとき、改めてステップ３０１ａ−ステップ３０１ｃを実行する。
【００４４】
実際の適用で、ユーザーが途中で移動端末を放して移動し続け、マッチングする人体運動軌跡を検出できないことを防止するために、原則として上記所定の時間帯の終わり時刻は移動端末の移動停止時刻より遅くてはならない。
【００４５】
本発明の実施例では、上記のように、移動端末及び人体それぞれの移動軌跡によって移動端末の位置するエリアをモニタリングする方法だけを例としたが、実際の適用で、その他の方式により動端末の位置するエリアをモニタリングしてもよく、例えば、室内無線位置決め方式である。本発明では、移動端末の位置するエリアをモニタリングする方式について限定しない。
【００４６】
ステップ３０２において、当該移動端末がリマインド操作を実行するようにトリガーされた時、目標エリアを確認する。当該目標エリアは、当該少なくとも２つの所定のエリアの中の人体の存在するエリアである。
【００４７】
移動端末は、所定のイベントを検出した場合、通常リマインド操作を実行するようにトリガーされる。例えば、移動端末に電話が入ったとき、着信通知を行うようにトリガーされ、メッセージを受信したとき、メッセージ通知を行うようにトリガーされ、又は、アラームクロックが定刻になったとき、アラームリマインド操作を実行するようにトリガーされる等である。
【００４８】
第１種の実現方式では、移動端末は、リマインド操作を実行するようにトリガーされた時、当該少なくとも２つの所定のエリアの中の各エリアについて、当該エリアに設定された人感センサによって収集されたセンサパラメータを取得する。当該センサパラメータにより当該エリア内に人体が存在するか否かを検出する。検出した結果、当該エリア内に人体が存在する場合、当該エリアを当該目標エリアであると確認する。つまり、移動端末は、各エリアに配布された人感センサによって人体の存在する目標エリアを確認することが可能である。人感センサの配布場面については、図３Ｃを参照して、ここで詳しく説明しない。
【００４９】
第２の実現方式においては、移動端末は、リマインド操作を実行するようにトリガーされた時、先ず前記移動端末の状態が、第１所定の条件を満たすか否かを検出する。検出した結果、当該移動端末の状態が当該第１所定の条件を満たす場合、当該少なくとも２つの所定のエリアの中の各エリアについて、当該エリアに設定された人感センサによって収集されたセンサパラメータを取得する。当該センサパラメータにより当該エリア内に人体が存在するか否かを検出する。検出した結果、当該エリア内に人体が存在する場合、当該エリアを当該目標エリアであると確認する。ここで、当該移動端末の状態は、運動状態及び操作状態を含み、当該第１所定の条件は、当該移動端末の運動状態が静止状態であること、且つ当該移動端末の操作状態がユーザー操作を受信していない状態であることを含む。
【００５０】
つまり、移動端末が静止状態であり、且つユーザー操作を受信していない場合、各エリアに配布された人感センサによって人体の存在する目標エリアを確認することが可能である。人感センサの配布場面については、図３Ｃを参照する。
【００５１】
第３の実現方式においては、移動端末は、リマインド操作を実行するようにトリガーされた時、先ず当該移動端末の状態が第２所定の条件を満たすか否かを検出する。検出した結果、当該移動端末の状態が当該第２所定の条件を満たす場合、当該移動端末の位置するエリアを当該目標エリアと確認する。ここで、当該移動端末の状態は、運動状態及び操作状態を含み、当該第２所定の条件は、当該移動端末の運動状態が移動中であること、及び当該移動端末の操作状態がユーザー操作を受信している状態の中の少なくとも１つを含む。
【００５２】
上記第２及び第３の実現方式において、移動端末の状態が第１所定の条件を満たす場合、つまり、移動端末が静止状態であり、且つユーザー操作を受信していない場合、移動端末がユーザーに携帯されるか否かを判断できず、この場合、人感センサによって人体の位置するエリアを確認してもよい。また、移動端末の状態が第２所定の条件を満たすとき、ユーザーが移動端末を使用又は携帯していることを表明し、即ち、移動端末の位置するエリアには人体が存在することを意味する。そのとき、直接移動端末の位置するエリアを目標エリアであると確認することができる。第２及び第３の方式により目標エリアを確認する場合、移動端末の状態を検出することによって、移動端末の位置するエリアを目標エリアと確認さえできれば、必要のない人体検出操作を省略でき、それで，計算リソース及び端末の電力消費を節約することが可能である。
【００５３】
ステップ３０３において、当該目標エリアが当該移動端末の位置するエリアを含まない場合、当該目標エリアにおけるリマインドデバイスにリマインド通知を送信する。
【００５４】
ここで、当該リマインド通知は、当該リマインドデバイスが当該リマインド操作に対応するリマインダーを送信するように当該リマインドデバイスを指示するものである。
【００５５】
その１つ前のステップにおいて、人感センサによって収集されたセンサ-パラメータにより目標エリアを確認する場合、更に当該目標エリアが当該移動端末の位置するエリアを含むか否かを検出することが可能である。例えば、予め各エリアの位置関係を記憶して、前記位置関係に基づき目標エリアが移動端末の位置するエリアを含むか否かを確認する。当該移動端末の状態が第２所定の条件を満たすか否かを検出することによって目標エリアを確認する場合、当該移動端末の状態が第２所定の条件を満たしさえすれば、当該目標エリアが当該移動端末の位置するエリアを含むと検出されたことに該当する。目標エリアが移動端末の位置するエリアを含む場合、ユーザーの位置するエリア内にはユーザーが存在することを表明し、その場合、移動端末は自身でリマインド操作を送信するだけで、よいリマインド効果を奏する。目標エリアが移動端末の位置するエリアを含まない場合、移動端末の位置するエリア内にはユーザー存在しないことを表明し、その場合、ユーザーの位置するエリア内のその他のスマートデバイスによってユーザーにリマインダーを送信する必要がある。
【００５６】
移動端末に予め各所定のスペースと当該所定のスペースにおけるリマインドデバイスとの対応関係を記憶してもよい。当該リマインドデバイスは、スマートテレビ、スマートエアコン等いずれかのスマートホームデバイスであってもよい。実際の適用では、目標エリアに複数のリマインドデバイスがある場合、前記複数のリマインドデバイスの中のオン状態にあるリマインドデバイスに当該リマインド通知を送信する。
【００５７】
当該移動端末がスマートフォンであり、リマインドデバイスがスマートテレビであることを例として、図３Ｄを参照して、リマインド場面の模式図が提供された。ここで、所定のスペース３１はリビングルームであり、所定のスペース３２はベッドルームである。所定のスペース３１には少なくとも１つの人感センサ３１ａ、所定のスペース３２には少なくとも１つの人感センサ３２ａが設定されている。所定のスペース３１（リビングルーム）にスマートテレビ３６ａ及びスマートエアコン３６ｂが配置され、ユーザー王さんはリビングルームでテレビを見て、王さんのスマートフォン３７は所定のスペース３２（ベッドルーム）のベッド上にある。スマートフォン３７に電話が入ったとき、所定のスペース３１に人体が存在しないが、所定のスペース３２に人体が存在すると検出して、且つ所定のスペース３２に存在するリマインドデバイスはスマートテレビ３６ａ及びスマートエアコン３６ｂであり、スマートテレビ３６ａがオン状態にあると検出された場合、スマートフォン３７は家庭内ＬＡＮを介してスマートテレビ３６ａにリマインド通知を送信して、スマートテレビ３６ａはスクリーンの上側に、スマートフォン３７に電話が入ったというリマインド通知を表示する。
【００５８】
上記のように、本発明の実施例に示されるリマインド方法によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００５９】
なお、本発明の実施例に示されるリマインド方法では、目標エリアを確認するとき、移動端末の状態が第２所定の条件を満たすと検出した場合、直接移動端末の位置するエリアを目標エリアであると確認することによって、必要のない人体検出操作を省略でき、計算リソース及び端末の電力消費を節約して、端末の待機時間を向上させる。
【００６０】
図４Ａはもう一つの例示的な実施例に係るリマインド方法のフローチャートである。当該リマインド方法は図１に示された実施環境における移動端末１１０に用いられる。図４Ａに示すように、当該リマインド方法は下記のステップを含んでもよく、即ち、
ステップ４０１において、室内無線位置決め方式により移動端末の位置するエリアをモニタリングする。
【００６１】
ここで、当該移動端末の位置するエリアは少なくとも２つの所定のエリアの１つである。
【００６２】
上記図３Ａに記載の実施例に示すように、同じ時間帯での移動端末及び人体それぞれの運動軌跡によって移動端末の位置するエリアをモニタリングする方法以外に、本発明の実施例に示される方案では、室内無線位置決め方式により移動端末の位置するエリアをモニタリングしてもよい。
【００６３】
例えば、図４Ｂを参照すると、移動端末の位置するエリアの確認の模式図が提供された。ここで、所定のスペース４１はリビングルーム、所定のスペース４２はベッドルームであり、所定のスペース４１及び所定のスペース４２の指定位置に少なくとも３つの無線信号発射点４３が設定され、移動端末４４は当該少なくとも３つの無線信号発射点４３から発射される信号を受信するのにかかる時間の長さによって、その自身と当該３つの無線信号発射点４３との相対的な位置を確認して、移動端末４４が所定のスペース４１及び所定のスペース４２の中のどのエリアにあるのかを確認することができる。
【００６４】
ステップ４０２において、当該移動端末がリマインド操作を実行するようにトリガーされた時、目標エリアを確定し、当該目標エリアは、当該少なくとも２つの所定のエリアの中の人体の存在するエリアである。
【００６５】
ステップ４０３において、当該目標エリアが当該移動端末の位置するエリアを含まない場合、当該目標エリアにリマインドデバイスがあるか否かを判断する。「はい」の場合、ステップ４０４に入り、「いいえ」の場合、ステップ４０５に入る。
【００６６】
ステップ４０４において、当該目標エリアにおけるリマインドデバイスにリマインド通知を送信する。
【００６７】
上記ステップ４０２−４０４の実現過程については、図３Ａに記載の対応する実施例のステップ３０２−３０３に関する説明を参照して、ここではそれに対する説明を省略する。
【００６８】
ステップ４０５において、当該移動端末が所定値よりも大きな音量でリンギングリマインダー操作を実行するように当該移動端末を制御する。
【００６９】
移動端末の位置するエリアに人体が存在せず、且つ人体の存在するエリアにはリマインドデバイスがない場合、移動端末は、リンギングリマインダー操作の音量をユーザーの所定の値よりも高い数値に調整してもよい。例えば、移動端末のリンギングの音量の最大値は１０であり、ユーザーは予めリンギングの音量を５に設定した場合、移動端末は、移動端末の位置するエリアに人体が存在せず、且つ人体の存在するエリアにリマインドデバイスがないと検出したとき、リマインド効果を向上させるために、５よりも大きな音量（例えば８又は１０）でリンギング操作を実行してもよい。
【００７０】
上記のように、本発明の実施例に示されるリマインド方法によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００７１】
なお、本発明の実施例に示されるリマインド方法によれば、移動端末はリマインド操作を実行するようにトリガーされたとき、移動端末の状態が第２所定の条件を満たすと検出した場合、直接移動端末の位置するエリアを目標エリアであると確認することによって、必要のない人体検出操作を省略でき、計算リソース及び端末の電力消費を節約して、端末の待機時間を向上させる。
【００７２】
また、本発明の実施例に示されるリマインド方法によれば、移動端末の位置するエリアに人体が存在せず、且つ人体の存在するエリアにはリマインドデバイスがない場合、移動端末は所定値よりも大きな音量でリンギング操作を実行して、リマインド効果を向上させる。
【００７３】
下記は本発明の装置の実施例であり、本発明の方法の実施例を実行するのに用いられる。本発明の装置の実施例に記載されない詳細は、本発明の方法の実施例を参照する。
【００７４】
図５は一つの例示的な実施例に係るリマインド装置を示すブロック図である。当該リマインド装置は、図１に示された実施環境における移動端末１１０に用いられ、図２、図３Ａ又は図４Ａのいずれかに示されたリマインド方法におけるステップの全部又は一部を実行する。図５に示すように、当該リマインド装置は、モニタリングモジュール５０１、エリア確認モジュール５０２及び通知モジュール５０３を備えるが、それらに限らない。
【００７５】
前記モニタリングモジュール５０１は、移動端末の位置するエリアをモニタリングするように配置される。前記移動端末の位置するエリアは、少なくとも２つの所定のエリアの中の１つである。
【００７６】
前記エリア確認モジュール５０２は、前記移動端末がリマインド操作を実行するようにトリガーされたとき、目標エリアを確認するように配置される。前記目標エリアは、前記少なくとも２つの所定のエリアの中の人体の存在するエリアである。
【００７７】
前記通知モジュール５０３は、前記エリア確認モジュール５０２によって確認された目標エリアが前記移動端末の位置するエリアを含まない場合、前記目標エリアにおけるリマインドデバイスにリマインド通知を送信するように配置される。前記リマインド通知は、前記リマインドデバイスが前記リマインド操作に対応するリマインダーを送信するように前記リマインドデバイスを指示するためのものである。
【００７８】
上記のように、本発明の実施例に示されるリマインド装置によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００７９】
図６はもう一つの例示的な実施例に係るリマインド装置を示すブロック図である。当該リマインド装置は、図１に示された実施環境における移動端末１１０に用いられ、図２、図３Ａ又は図４Ａのいずれかに示されたリマインド方法におけるステップの全部又は一部を実行する。図６に示すように、当該リマインド装置は、モニタリングモジュール５０１、エリア確認モジュール５０２及び通知モジュール５０３を備えるが、それらに限らない。
【００８０】
前記モニタリングモジュール５０１は、移動端末の位置するエリアをモニタリングするように配置される。前記移動端末の位置するエリアは、少なくとも２つの所定のエリアの中の１つである。
【００８１】
前記エリア確認モジュール５０２は、前記移動端末がリマインド操作を実行するようにトリガーされたとき、目標エリアを確認するように配置される。前記目標エリアは、前記少なくとも２つの所定のエリアの中の人体の存在するエリアである。
【００８２】
前記通知モジュール５０３は、前記エリア確認モジュール５０２によって確認された目標エリアが前記移動端末の位置するエリアを含まない場合、前記目標エリアにおけるリマインドデバイスにリマインド通知を送信するように配置される。前記リマインド通知は、前記リマインドデバイスが前記リマインド操作に対応するリマインダーを送信するようにリマインドデバイスを指示するためのものである。
【００８３】
前記エリア確認モジュール５０２は、
前記移動端末の状態が第１所定の条件を満たすか否かを検出するように配置される第１検出サブモジュール５０２ａと、
前記第１検出サブモジュール５０２ａによって検出した結果、前記移動端末の状態が前記第１所定の条件を満たす場合、前記少なくとも２つの所定のエリアの中の各エリアについて、前記エリア内に設定された人感センサによって収集されたセンサパラメータを取得するように配置される第１パラメータ取得サブモジュール５０２ｂと、
前記第１パラメータ取得サブモジュール５０２ｂによって取得されたセンサパラメータにより前記エリア内に人体が存在するか否かを検出するように配置される第１人体検出サブモジュール５０２ｃと、
前記第１人体検出サブモジュール５０２ｃによって検出した結果、前記エリア内に人体が存在する場合、前記エリアを前記目標エリアであると確認するように配置される第１確認サブモジュール５０２ｄと、を備えてもよい。
【００８４】
ここで、前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【００８５】
好ましくは、前記エリア確認モジュール５０２は、
前記移動端末の状態が第２所定の条件を満たすか否かを検出するように配置される第２検出サブモジュール５０２ｅと、
前記第２検出サブモジュール５０２ｅによって検出した結果、前記移動端末の状態が第２所定の条件を満たす場合、前記移動端末の位置するエリアを前記目標エリアであると確認するように配置される第２確認サブモジュール５０２ｆと、を備えてもよい。
【００８６】
ここで、前記移動端末の状態は運動状態及び操作状態を含み、前記第２所定の条件は、前記移動端末の運動状態が移動中であること、及び前記移動端末の操作状態はユーザー操作を受信している状態の少なくとも１つを含む。
【００８７】
好ましくは、前記エリア確認モジュール５０２は，
前記少なくとも２つの所定のエリアの中の各エリアについて、前記エリア内に設定された人感センサによって収集されたセンサパラメータを取得するように配置される第２パラメータ取得サブモジュール５０２ｇと、
前記第２パラメータ取得サブモジュール５０２ｇによって取得されたセンサパラメータにより前記エリア内に人体が存在するか否かを検出するように配置される第２人体検出サブモジュール５０２ｈと、
前記第２人体検出サブモジュール５０２ｈによって検出した結果、前記エリア内に人体が存在する場合、前記エリアを前記目標エリアであると確認するように配置される第３確認サブモジュール５０２ｉと、を備えてもよい。
【００８８】
好ましくは、前記モニタリングモジュール５０１は，
前記移動端末の位置が移動したと検出した場合、所定の時間帯での前記移動端末の運動軌跡を取得するように配置される第１軌跡取得サブモジュール５０１ａと、
前記少なくとも２つのエリア内に設定された人感センサによって前記所定の時間帯で収集されたセンサパラメータにより、前記少なくとも２つのエリア内の少なくとも１つの人体の運動軌跡を取得するように配置される第２軌跡取得サブモジュール５０１ｂと、
前記少なくとも１つの人体の中の、運動軌跡が前記移動端末の運動軌跡にマッチングする人体の位置するエリアを前記移動端末の位置するエリアであると確認するように配置される第４確認サブモジュール５０１ｃと、を備えてもよく、前記所定の時間帯は、前記移動端末が移動を始める時刻から前記移動端末が移動を停止する時刻までの時間帯である。
【００８９】
好ましくは、前記モニタリングモジュール５０１は、室内無線位置決め方式により前記移動端末の位置するエリアをモニタリングするように配置されてもよい。
【００９０】
好ましくは、前記装置は制御モジュール５０４を備えてもよい。
【００９１】
前記制御モジュール５０４は、下記のように配置される。即ち、前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御する。
【００９２】
つまり、本発明の実施例に示されるリマインド装置によれば、移動端末の位置するエリアをモニタリングして、当該移動端末がリマインド操作を実行するようにトリガーされた時、人体の存在する目標エリアを確認して、当該目標エリアが当該移動端末の位置するエリアを含まない場合、当該目標エリアにおけるリマインドデバイスにリマインド通知を送信する。つまり、移動端末がリマインド操作を実行するようにトリガーされ、且つ移動端末の位置するエリアには人がいないとき、人のいるエリアにおけるスマートデバイスからリマインダーを送信するように制御する。それで、ユーザーが移動端末を携帯しなくても、効果的にユーザーにリマインダーを送信することができ、リマインド効果を向上させる。
【００９３】
なお、本発明の実施例に示されるリマインド装置によれば、目標エリアを確認するとき、先ず移動端末の状態が所定の条件を満たすか否かを検出して、且つ移動端末の状態が所定の条件を満たすと検出したときでさえ、目標エリアを確認するステップを実行する。それで、必要のない人体モニタリング操作を省略でき、計算リソース及び端末の電力消費を節約して、端末の待機時間を向上させる。
【００９４】
また、本発明の実施例に示されるリマインド装置によれば、移動端末の位置するエリアに人体が存在せず、且つ人体の存在するエリアにはリマインドデバイスがない場合、移動端末は所定値よりも大きな音量でリンギング操作を実行して、リマインド効果を向上させる。
【００９５】
本発明はリマインド装置を提供する。前記装置は、
プロセッサと、
プロセッサにより実行可能なインストラクションを記憶するためのメモリと
を備え、
前記プロセッサは、
移動端末の位置するエリアをモニタリングし、
前記移動端末がリマインド操作を実行するようにトリガーされたとき、目標エリアを確認し、
前記目標エリアが前記移動端末の位置するエリアを含まない場合、前記目標エリアにおけるリマインドデバイスにリマインド通知を送信するように配置され、
前記移動端末の位置するエリアは、少なくとも２つの所定のエリアの中の１つであり、
前記目標エリアは、前記少なくとも２つの所定のエリアの中の人体の存在するエリアであり、
前記リマインド通知は、前記リマインドデバイスに前記リマインド操作に対応するリマインダーを送信するように指示するものである。
【００９６】
好ましくは、前記移動端末がリマインド操作を実行するようにトリガーされたとき、目標エリアを確認するステップは、
前記移動端末の状態が第１所定の条件を満たすか否かを検出するステップと、
検出した結果、前記移動端末の状態が前記第１所定の条件を満たす場合、前記少なくとも２つの所定のエリアの中の各エリアについて、前記エリア内に設定された人感センサによって収集されたセンサパラメータを取得するステップと、
前記センサ-パラメータにより前記エリア内に人体が存在するか否かを検出するステップと、
検出した結果、前記エリア内に人体が存在する場合、前記エリアを前記目標エリアであると確認するステップとを含み、
前記移動端末の状態は運動状態及び操作状態を含み、前記第１所定の条件は、前記移動端末の運動状態が静止状態であること、且つ前記移動端末の操作状態がユーザー操作を受信していない状態であることを含む。
【００９７】
好ましくは、前記移動端末がリマインド操作を実行するようにトリガーされたとき、目標エリアを確認するステップは、
前記移動端末の状態が第２所定の条件を満たすか否かを検出するステップと、
検出した結果、前記移動端末の状態が第２所定の条件を満たす場合、前記移動端末の位置するエリアを前記目標エリアであると確認するステップと、を含み、
前記移動端末の状態は運動状態及び操作状態を含み、前記第２所定の条件は、前記移動端末の運動状態が移動中であること、及び前記移動端末の操作状態はユーザー操作を受信している状態の少なくとも１つを含む。
【００９８】
好ましくは、前記移動端末がリマインド操作を実行するようにトリガーされたとき、目標エリアを確認するステップは、
前記少なくとも２つの所定のエリアの中の各エリアについて、前記エリア内に設定された人感センサによって収集されたセンサパラメータを取得するステップと、
前記センサパラメータにより前記エリア内に人体が存在するか否かを検出するステップと、
検出した結果、前記エリア内に人体が存在する場合、前記エリアを前記目標エリアであると確認するステップとを含んでもよい。
【００９９】
好ましくは、前記移動端末の位置するエリアをモニタリングするステップは、
前記移動端末の位置が移動したと検出した場合、所定の時間帯での前記移動端末の運動軌跡を取得するステップと、
前記少なくとも２つのエリア内に設定された人感センサによって前記所定の時間帯で収集されたセンサパラメータにより、前記少なくとも２つのエリア内の少なくとも１つの人体の運動軌跡を取得するステップと、
前記少なくとも１つの人体の中の、運動軌跡が前記移動端末の運動軌跡にマッチングする人体の位置するエリアを前記移動端末の位置するエリアであると確認するステップと、を含み、
前記所定の時間帯は、前記移動端末が移動を始める時刻から前記移動端末が移動を停止する時刻までの時間帯である。
【０１００】
好ましくは、前記移動端末の位置するエリアをモニタリングするステップは、
室内無線位置決め方式により前記移動端末の位置するエリアをモニタリングするステップを含んでもよい。
【０１０１】
好ましくは、前記方法は、さらに、
前記目標エリアが前記移動端末の位置するエリアを含まず、且つ前記目標エリアには前記リマインドデバイスが存在しない場合、前記移動端末が所定値より大きな音量でリンギングリマインダー操作を実行するように前記移動端末を制御するステップを含んでもよい。
【０１０２】
図７は、一つの例示的な実施例に係る装置７００のブロック図である。例えば、装置７００は、スマートフォン、タブレットデバイス、電子書籍リーダー等のようなスマート端末であってもよい。
【０１０３】
図７に示すように、装置７００は、プロセス部材７０２、メモリ７０４、電源部材７０６、マルチメディア部材７０８、オーディオ部材７１０、センサ部材７１４及び通信部材７１６からなる群から選ばれる少なくとも１つを備えてもよい。
【０１０４】
プロセス部材７０２は、一般的には、装置７００の全体の操作、例えば、表示、電話呼び出し、データ通信、カメラ操作及び記録操作に関連する操作を制御する。プロセス部材７０２は、上述の方法におけるステップの一部又は全部を実現できるように、インストラクションを実行する少なくとも１つのプロセッサ７１８を備えてもよい。なお、プロセス部材７０２は、他の部材とのインタラクションの便宜上、少なくとも１つのモジュールを備えてもよい。例えば、プロセス部材７０２は、マルチメディア部材７０８とのインタラクションの便利を図るために、マルチメディアモジュールを備えてもよい。
【０１０５】
メモリ７０４は、装置７００における操作を支援するための、各種のデータを記憶するように構成される。これらのデータの例として、装置７００において操作される何れのアプリケーション又は方法に関するインストラクションを含む。メモリ７０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。また、前記図２、３Ａ又は図４Ａに示されたいずれの方法におけるステップの一部又は全部を実現できるように、メモリ７０４には、当該１つ又は複数の中プロセッサ７１８によって実行するように配置される１つ又は複数のモジュールを備える。
【０１０６】
電源部材７０６は、装置７００の各種部材に電力を供給するためのものであり、電源管理システム、１つ又は複数の電源、及び装置７００のために電力を生成、管理及び分配することに関連のある他の部材を備えてもよい。
【０１０７】
マルチメディア部材７０８は、装置７００とユーザーとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザーからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。
【０１０８】
オーディオ部材７１０は、オーディオ信号を出力及び／又は入力するように構成される。例えば、オーディオ部材７１０は、マイクロフォン（ＭＩＣ）を有してもよい。装置７００が、例えば呼び出しモード、記録モード又は音声認識モードのような操作モードにある場合、マイクロフォンは外部のオーディオ信号を受信するように構成される。受信されたオーディオ信号は、メモリ７０４に記憶されてもよく、通信部材７１６を介して送信されてもよい。何れかの実施例において、オーディオ部材７１０は、オーディオ信号を出力するためのスピーカをさらに備えてもよい。
【０１０９】
センサ部材７１４は、装置７００のために各方面の状態評価を提供するための少なくとも１つのセンサを備えてもよい。例えば、センサ部材７１４は、装置７００のオン／オフ状態や、部材の相対的な位置を検出することができる。センサ部材７１４は、装置７００又は装置７００の１つの部材の位置の変化、及び装置７００の温度変化を検出することができる。何れかの実施例において、当該センサ部材７１４はさらに、磁気センサ、圧力センサ又は温度センサを含んでもよい。
【０１１０】
通信部材７１６は、装置７００と他の設備との間の無線又は有線通信が便利になるように構成される。装置７００は、通信標準に基づく無線ネットワーク、例えばＷｉＦｉ（登録商標）、２Ｇ又は３Ｇ、又はそれらの組み合わせにアクセスできる。１つの例示的な実施例において、通信部材７１６は、ブロードキャストチャンネルを介して外部のブロードキャスト管理システムからのブロードキャスト信号又はブロードキャストに関する情報を受信することができる。１つの例示的な実施例において、前記通信部材７１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術により実現されてもよい。
【０１１１】
例示的な実施例において、装置７００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１１２】
例示的な実施例において、さらに、装置７００のプロセッサ７１８により実行されることにより上述の方法を実現可能なインストラクションが記憶され、且つコンピュータに読み取り可能な不揮発性の記録媒体、例えばインストラクションが記憶されているメモリ７０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１１３】
上記実施例に記載された装置について、各モジュールが操作を実行する具体的な方式は、既に当該方法に関する実施例で詳しく説明したので、ここでは詳しい説明を省略する。
【０１１４】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【０１１５】
本発明は、出願番号がＣＮ２０１５１０６４２３８４．１であって、出願日が２０１５年９月３０日である中国特許出願に基づき優先権を主張し、当該中国特許出願のすべての内容を本願に援用する。
【手続補正４】
【補正対象書類名】図面
【補正対象項目名】図４Ａ
【補正方法】変更
【補正の内容】
【図４Ａ】
2017539186.tif 000014
【国際調査報告】
2017539186.tif 000015
2017539186.tif 000016
2017539186.tif 000017
2017539186.tif 000018